(57)【要約】【課題】そのときの状況によって最適な形態で、行先階釦を表示できるエレベーター装置を提供する。【解決手段】エレベーター１の乗りかごに設置され、行先階釦２１を表示するタッチパネル付き表示部２を備えたエレベーターに適用される。行先階登録装置は、表示部２での行先階釦２１の表示形態を、少なくとも時間帯又は時刻に応じて、例えば記録部に記録された情報、又は外部から入力した情報に基づいて、別の表示形態に変更するようにした。【選択図】図１
2018083711.tif 000002
【特許請求の範囲】
【請求項１】
エレベーターの乗りかごに設置され、行先階釦を表示すると共に、表示した行先階釦がタッチされた際に、該当する階の行先階登録情報を出力するタッチパネル付き表示部と、
前記タッチパネル付き表示部での前記行先階釦の表示形態を、記録部に記録された情報又は外部から入力した情報に基づいて設定する表示設定部と、
前記表示設定部が設定する前記行先階釦の表示形態を、少なくとも時間帯又は時刻に応じて、前記記録部に記録された情報又は外部から入力した情報による別の表示形態に変更する表示制御部と、を備えた
エレベーター装置。
【請求項２】
変更指示受信部を備え、
前記記録部は、前記変更指示受信部が電話回線又は通信回線を介して外部から受信した表示情報を記録するようにした
請求項１に記載のエレベーター装置。
【請求項３】
前記別の表示形態は、利用者に注目させたい情報を表示する特定の階の行先階釦を、他の階の行先階釦よりも大きいサイズで表示する表示形態である
請求項１に記載のエレベーター装置。
【請求項４】
利用者に注目させたい情報は、特定の階の店舗又は施設で、特定の時間帯に販売又は提供されるサービスの情報である
請求項３に記載のエレベーター装置。
【請求項５】
前記タッチパネル付き表示部に表示される別の表示形態は、特定の時間帯に、特定の階の行先階釦を、他の階の行先階釦よりも小さいサイズで表示するようした
請求項１に記載のエレベーター装置。
【請求項６】
前記乗りかごは、駅舎内のプラットフォームとコンコースの間を昇降するものであり、
前記タッチパネル付き表示部は、前記プラットフォームの階の前記行先階釦に、外部から取得した列車の発車時刻を含む案内情報を表示し、時間帯又は発車時刻に基づいて、前記行先階釦のサイズを変更する
請求項１に記載のエレベーター装置。
【請求項７】
天候情報取得部を備え、
前記天候情報取得部が取得した天候が特定の天候であるとき、前記表示制御部が前記行先階釦の表示を別の表示形態に変更する
請求項１に記載のエレベーター装置。
【請求項８】
エレベーターの乗りかごに設置されたタッチパネル付き表示部に行先階釦を表示させ、前記タッチパネル付き表示部で検出したタッチ操作に基づいて行先階登録を行う行先階登録方法において、
前記タッチパネル付き表示部での前記行先階釦の表示形態を、記録部に記録された情報又は外部から入力した情報に基づいて設定する表示設定処理と、
前記表示設定処理により設定する前記行先階釦の表示形態を、少なくとも時間帯又は時刻に応じて、前記記録部に記録された情報又は外部から入力した情報による別の表示形態に変更する表示変更処理と、を含む
行先階釦表示方法。
【発明の詳細な説明】
【技術分野】
【０００１】
本発明は、エレベーター装置及び行先階釦表示方法に関する。
【背景技術】
【０００２】
近年、エレベーター装置は、ユニバーサルデザイン化が進められている。すなわち、エレベーター装置には、直感的な利用ができること、必要な情報がすぐに分かること、身体への過度な負担を必要としないこと、サイズと空間が利用し易いこと、などの点の配慮が求められている。また、様々な設置施設での使用環境に対する要求に対して柔軟性を有することも重要である。
【０００３】
エレベーター装置にユニバーサルデザインを適用する場合、エレベーターの乗りかご内に配置される、行先階釦についても、従来よりもユニバーサルデザインに適したものとすることが提案されている。例えば、特許文献１には、タッチパネル式のディスプレイで行先階釦を表示し、乗りかご内に設置された無線受信端末が、利用者が携帯した端末からの信号を受信したとき、その受信情報に基づいて行先階釦の配置や大きさを決定する技術が開示されている。
【０００４】
また、特許文献２には、エレベーターが案内する階床のテナント情報や店舗情報をタッチパネル式のディスプレイに表示し、利用者がそのテナント情報や店舗情報の表示箇所をタッチしたとき、その情報で特定される行先階を登録する技術が開示されている。
【先行技術文献】
【特許文献】
【０００５】
【特許文献１】特開２０１５−１３６９５号公報
【特許文献２】特開２００２−３４８０６３号公報
【発明の概要】
【発明が解決しようとする課題】
【０００６】
ところで、時間帯，時刻，天候などの状況の変化によって、利用者が知りたい情報や、サービス提供側が利用者に伝えたい情報は異なる可能性がある。しかしながら、既に提案された従来の技術は、いずれも行先階釦に関する表示を、事前の登録に基づいて変更するだけであり、状況の変化には対応できないという問題があった。
【０００７】
例えば、特許文献１に記載された技術は、利用者が携帯した端末から受信した情報に基づいて、その利用者の行先階と想定される釦を大きいサイズに変更するものである。この特許文献１に記載された技術は、利用者の行先階が事前に推定できる場合に、行先階釦の表示サイズを変更するものであり、エレベーターが設置されたビル側が、利用者の案内のために行先階釦の表示サイズを変更するものではなかった。
【０００８】
また、特許文献２には、エレベーターが設置されたビル内のテナント、店舗などの情報をタッチパネルに表示する点についての記載があるが、表示が常に適切であるとは限らないという問題がある。例えば、ビル内の店舗は、店舗毎に営業時間や定休日などが異なる可能性があるが、特許文献２に記載されたように店舗名を行先階釦とした場合、表示された店舗が営業時間外であっても、利用者がその店舗名をタッチして行先階として登録する可能性がある。このような場合には、タッチパネルへのタッチが行われたために、営業していない店舗の階に、利用者を案内することになり、好ましくない。
【０００９】
本発明はかかる点に鑑みてなされたものであり、乗りかご内の行先階登録釦を表示する場合に、そのときの状況によって最適でかつ直感的に操作可能な表示ができる行先階登録装置を備えたエレベーターを提供することを目的とする。
【課題を解決するための手段】
【００１０】
上記課題を解決するために、例えば特許請求の範囲に記載の構成を採用する。
本願は上記課題を解決する手段を複数含んでいるが、その一例を挙げるならば、エレベーターの乗りかごに設置され、行先階釦を表示するタッチパネル付き表示部と、タッチパネル付き表示部での行先階釦の表示形態を、記録部に記録された情報又は外部から入力した情報に基づいて設定する表示設定部と、表示設定部により設定される行先階釦の表示形態を、少なくとも時間帯又は時刻に応じて、記録部に記録された情報又は外部から入力した情報に基づいて別の表示形態に変更する表示制御部と、を備えたことを特徴とする。
【発明の効果】
【００１１】
本発明によれば、利用者が必要とする情報を適切な時間帯などに提供することができると共に、利用者が認識した情報に基づき直感的に行先階釦の操作を行うことができるようになる。
上記した以外の課題、構成及び効果は、以下の実施形態の説明により明らかにされる。
【図面の簡単な説明】
【００１２】
【図１】本発明の一実施の形態例によるエレベーター装置の全体構成例を示す構成図である。
【図２】本発明の一実施の形態例によるエレベーター遠隔監視装置の例を示すブロック図である。
【図３】本発明の一実施の形態例によるエレベーター遠隔監視装置をコンピューター装置で構成した場合のハードウェア構成例を示すブロック図である。
【図４】本発明の一実施の形態例による行先階釦の表示変更処理例を示すフローチャートである。
【図５】本発明の一実施の形態例による通常時の行先階釦の表示例を示す図である。
【図６】本発明の一実施の形態例による店舗情報を取得した際の行先階釦の表示例（例１）を示す図である。
【図７】本発明の一実施の形態例による店舗情報を取得した際の行先階釦の表示例（例２）を示す図である。
【図８】本発明の一実施の形態例による混雑する時間帯の行先階釦の表示例を示す図である。
【図９】本発明の一実施の形態例による雨天時の行先階釦の表示例を示す図である。
【図１０】本発明の他の実施の形態例による行先階釦の表示変更処理例を示すフローチャートである。
【図１１】図１０の例による行先階釦の表示例（例１）を示す図である。
【図１２】図１０の例による行先階釦の表示例（例２）を示す図である。
【図１３】図１０の例による行先階釦の表示例（例３）を示す図である。
【発明を実施するための形態】
【００１３】
以下、本発明の一実施の形態例を、添付図面を参照して説明する。
【００１４】
［１．エレベーター装置の全体構成例］
図１は、本発明の一実施の形態例のエレベーター装置の全体構成例を示す。
本実施形態のエレベーター装置は、乗りかご１と、かご上制御装置３と、エレベーター制御盤４と、エレベーター遠隔監視装置５とを備えている。乗りかご１は、店舗施設、駅舎及びエスカレーターを併設した施設などに設置され、利用者を乗せて複数のサービス階床間を移動するものである。
【００１５】
乗りかご１には、行先階登録装置として使用されるタッチパネル付き表示部２を備え、タッチパネル付き表示部２に、行先階釦２１が表示される。
乗りかご１内の利用者は、タッチパネル付き表示部２に表示された行先階釦２１の内の、所望の行先階の釦をタッチする。この行先階釦２１のタッチ（操作）があると、該当する行先階が停止階として登録され、行先階登録情報が生成される。生成された行先階登録情報は、かご上制御装置３を経由してエレベーター制御盤４に供給され、エレベーター制御盤４が該当する階に停止するように運行が制御される。
【００１６】
タッチパネル付き表示部２としては、例えば液晶表示パネルとタッチパネルが複合化（一体化）された表示部が使用される。タッチパネル付き表示部２に行先階釦２１を表示する際には、エレベーター遠隔監視装置５からの指示により、それぞれの階の行先階釦２１のサイズや表示内容を変更することができる。行先階釦２１のサイズや表示内容を変更した具体的な例については後述する。
また、タッチパネル付き表示部２には、行先階釦２１の他に、後述する戸開釦２２及び戸閉釦２３（図５）が表示される。但し、タッチパネル付き表示部２に戸開釦２２と戸閉釦２３を表示するのは一例であり、戸開釦２２と戸閉釦２３については、タッチパネル付き表示部２ではなく、別の釦として乗りかご１に配置してもよい。
【００１７】
かご上制御装置３は、乗りかご１の上部に設置され、乗りかご１内の機器を制御するものである。
エレベーター制御盤４は、かご上制御装置３を介して行先階登録装置であるタッチパネル付き表示部２に接続され、エレベーターの運行を統括制御する。なお、エレベーター制御盤４がエレベーターの運行を制御する場合には、エレベーター制御盤４は、乗りかご１内の行先階釦２１の操作の他に、各階の乗場側に設置された呼び釦（不図示）の操作状況についても考慮する。
【００１８】
エレベーター遠隔監視装置５は、電話回線網６に接続されており、エレベーター制御盤４を監視する。すなわち、エレベーター遠隔監視装置５は電話回線網６を介して監視センター８に接続され、この監視センター８によりエレベーターの運行状態を監視できるようになっている。
本実施の形態例の場合には、エレベーター遠隔監視装置５が、エレベーター制御盤４及びかご上制御装置３を経由して、行先階登録装置であるタッチパネル付き表示部２に情報を送り、タッチパネル付き表示部２での行先階釦２１の表示形態を変更するようにしている。すなわち、エレベーター遠隔監視装置５は、タッチパネル付き表示部２に行先階釦２１を表示する際の表示情報を記録（記憶）し、この記録情報に基づいて、時間帯などの後述する条件が変更された場合に、行先階釦２１の表示レイアウトや表示内容を変更する。具体的な表示形態の変更例については後述する。
【００１９】
なお、エレベーター遠隔監視装置５がタッチパネル付き表示部２での行先階釦２１の表示形態を制御するのは一例であり、かご上制御装置３又はエレベーター制御盤４が、タッチパネル付き表示部２での行先階釦２１の表示形態を制御するようにしてもよい。
【００２０】
エレベーター遠隔監視装置５は、電話回線網６を介して施設管理者操作端末７からアクセスが可能になっており、施設管理者操作端末７から送信された行先階釦２１の表示形態の変更情報を受信することができる。施設管理者操作端末７は、例えばエレベーターが設置された建物毎に決められた施設管理者が所持するコンピューター装置である。このように施設管理者操作端末７などの外部の端末（コンピューター装置）からの指示で、行先階釦２１の表示形態の変更指示ができることで、施設（建物）の管理者は、簡単に行先階釦２１の表示形態を変更することが可能になる。
【００２１】
［２．行先階釦の表示を制御する構成の例］
図２は、エレベーター遠隔監視装置５がタッチパネル付き表示部２での行先階釦２１の表示形態を制御する場合に、行先階釦２１の表示形態を制御する機能から見た機能ブロック図である。図２では、エレベーター遠隔監視装置５が備える、行先階釦２１の表示形態以外の構成については省略している。
エレベーター遠隔監視装置５は、表示制御部５１、記録部５２、変更指示受信部５３、時計部５４、及び表示設定部５５を備える。また、後述するように天候に基づいて表示を変更する場合には、エレベーター遠隔監視装置５は、天候情報取得部５６を備える。
【００２２】
表示制御部５１は、タッチパネル付き表示部２での行先階釦２１の表示形態の制御処理を実行する。記録部５２には、タッチパネル付き表示部２で行先階釦２１を表示する際の表示形態に関する情報が記録される。すなわち、記録部５２には、通常時（表示を変更しない場合）の行先階釦２１の表示形態の情報が記録されると共に、変更指示受信部５３が変更時の行先階釦２１の表示形態の情報を受信した場合には、その変更時の行先階釦２１の表示形態の情報が記録される。変更時の行先階釦２１の表示形態の情報を記録部５２に記録する際には、表示を変更する条件（変更する時間帯、時刻、天候など）も記録部５２に記録する。
【００２３】
変更指示受信部５３は、電話回線網６を介して行先階釦２１の表示形態の変更に関する情報を受信する。例えば、変更指示受信部５３は、施設管理者操作端末７が電話回線網６に送信した、変更時の行先階釦２１の表示形態の情報と、表示を変更する条件の情報を受信する。
時計部５４は、現在時刻や日時を取得し、取得した現在時刻や日時の情報を表示制御部５１に供給する。
表示設定部５５は、表示制御部５１の制御により、タッチパネル付き表示部２における行先階釦２１の表示形態を設定する表示設定処理を行う。
天候情報取得部５６は、電話回線網６などを介して、現在の天候に関する情報を取得する。すなわち、表示制御部５１が表示を変更する条件の１つに天候が設定されている場合には、表示制御部５１は、天候情報取得部５６から現在の天候の情報を取得する。
【００２４】
［３．エレベーター遠隔監視装置のハードウェア構成例］
図３は、エレベーター遠隔監視装置５のハードウェア構成例を示す。エレベーター遠隔監視装置５は、例えばコンピューター装置Ｃで構成される。
コンピューター装置Ｃは、バスＣ４にそれぞれ接続されたＣＰＵ（Central Processing Unit：中央処理装置）Ｃ１、ＲＯＭ（Read Only Memory）Ｃ２、及びＲＡＭ（Random Access Memory）Ｃ３を備える。さらに、コンピューター装置Ｃは、表示部Ｃ５、操作部Ｃ６、不揮発性ストレージＣ７、及びインターフェイスＣ８を備える。
【００２５】
ＣＰＵ  Ｃ１は、エレベーター遠隔監視装置５が備える各機能を実現するソフトウェアのプログラムコードをＲＯＭ  Ｃ２から読み出して実行する。ＲＡＭ  Ｃ３には、演算処理の途中に発生した変数やパラメータ等が一時的に書き込まれる。例えば、ＣＰＵ  Ｃ１がＲＯＭ  Ｃ２に記憶されているプログラムを読み出すことで、タッチパネル付き表示部２での行先階釦２１の表示形態を変更する処理が実行される。
【００２６】
不揮発性ストレージＣ７としては、例えば、ＨＤＤ（Hard disk drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ７には、ＯＳ（Operating System）、各種のパラメータの他に、コンピューター装置Ｃをエレベーター遠隔監視装置５として機能させるためのプログラムが記録されている。また、変更時の行先階釦２１の表示形態の情報についても、不揮発性ストレージＣ７に記録される。
【００２７】
インターフェイスＣ８には、例えば、ＮＩＣ（Network Interface Card）等が用いられ、端子が接続されたＬＡＮ（Local Area Network）、専用線等を介して各種のデータを送受信することが可能である。
【００２８】
表示部Ｃ５や操作部Ｃ６は、エレベーターの保守作業時に使用する。例えば、表示部Ｃ５は、行先階釦２１の表示形態の設定履歴を表示する。操作部Ｃ６は、行先階釦２１の表示形態の変更を許可するか、あるいは行先階釦２１の表示形態の変更を許可しないか等の情報を入力する。なお、エレベーター遠隔監視装置５の構成によっては、表示部Ｃ５や操作部Ｃ６を備えない場合もある。
また、エレベーター遠隔監視装置５を図３に示すようなコンピューター装置Ｃで構成するのは一例であり、図２に示す各処理部５１〜５６を実行する専用の回路で構成してもよい。
【００２９】
［４．行先階釦の表示変更処理例］
図４は、エレベーター遠隔監視装置５が行う行先階釦の表示変更処理の流れを示すフローチャートである。この図４のフローチャートの表示変更処理は、特定の時間帯になったとき、タッチパネル付き表示部２における行先階釦２１の表示形態の変更が設定されている場合に行われる処理である。
【００３０】
まず、表示制御部５１は、表示設定部５５に対して、タッチパネル付き表示部２における通常の行先階釦表示を実行させる（ステップＳ１１）。通常時の行先階釦表示は、例えば図５に示すように、乗りかご１が停止する全ての階の行先階釦２１を、同じサイズで等間隔に並べた表示形態である。なお、タッチパネル付き表示部２に行先階釦２１を表示する際には、図５に示すように、戸開釦２２及び戸閉釦２３をタッチパネル付き表示部２の下端に表示する。
【００３１】
ステップＳ１１で通常時の行先階釦表示を行った状態で、表示制御部５１は、表示を変更する時間帯になったか否かを判断する（ステップＳ１２）。ここで、表示を変更する時間帯でないと判断した場合（ステップＳ１２のＮＯ）には、表示制御部５１は、ステップＳ１１で通常時の行先階釦表示を継続して実行させる。
ステップＳ１２で、表示を変更する時間帯になったと判断した場合（ステップＳ１２のＹＥＳ）、表示制御部５１は、現在の時間帯に表示するようにセットされた行先階釦の表示形態の情報を記録部５２から読み出す（ステップＳ１３）。そして、表示制御部５１は、読み出した行先階釦の表示形態の情報を表示設定部５５に送り、表示設定部５５は、タッチパネル付き表示部２での行先階釦の表示形態を該当する表示形態に変更する（ステップＳ１４）。
【００３２】
その後、表示制御部５１は、行先階釦の表示形態を変更する時間帯が終了したか否かを判断する（ステップＳ１５）。ここで、表示を変更する時間帯が終了していないと判断した場合（ステップＳ１５のＮＯ）には、表示制御部５１は、ステップＳ１５で変更した行先階釦の表示を継続して実行させる。
ステップＳ１５で、表示を変更する時間帯が終了したと判断した場合（ステップＳ１５のＹＥＳ）、表示制御部５１は、ステップＳ１１の処理に戻り、通常時の行先階釦の表示形態に戻す。
【００３３】
［５．変更時の行先階釦の表示例］
次に、エレベーター遠隔監視装置５での制御により、タッチパネル付き表示部２が表示する行先階釦の表示形態を変更したときの表示例を説明する。
図６は、飲食店が特定の階（この例では３階）にある建物に設置されたエレベーターの場合の例である。この例のエレベーターは、地下１階、１階、２階、３階、及び屋上階が停止階となっている例であり、通常時には、各階の行先階釦２１を同じサイズで表示し、各階を示す記号（Ｂ１、１、２、３、ＲＦ）のみを釦の中に表示する。
【００３４】
そして、時間帯が午前１１時から午後２時までのランチタイムになると、タッチパネル付き表示部２における表示が、図６に示す行先階釦の表示に変更される。すなわち、飲食店がある３階の行先階釦２１ａが、他の階の行先階釦２１ｂよりも大きなサイズに変更され、更に３階の行先階釦２１ａの内部に、飲食店のランチタイムの案内情報が表示される。例えば、３階の行先階釦２１ａには、３階を示す「３」が表示されると共に、「飲食街フロア  ○○ランチ  ￥△△  １１：００〜１４：００」のような具体的なメニューと金額及び提供時間が表示される。
この図６に示す文字情報は、施設管理者操作端末７で施設（建物）の管理者によって入力され、記録部５２に記録される情報である。図７以降に示す他の表示例も、同様に施設管理者操作端末７が入力する情報に基づいている。
【００３５】
図７は、図６の例と同じ建物で、地下１階が食料品の販売フロアの場合の例である。すなわち、午後５時から午後７時までの夕方の時間帯に、食料品の販売フロアがある地下１階の行先階釦２１ｃが、他の階の行先階釦２１ｄよりも大きなサイズに変更され、地下１階の行先階釦２１ｃの内部に、食料品の販売フロアの案内情報が表示される。例えば、行先階釦２１ｃには、地下１階を示す「Ｂ１」が表示されると共に、「食料品フロア  夕方タイムセール  ○○  ￥△△  限定□□点」のような具体的な商品名と金額と販売数が表示される。
【００３６】
この図６や図７に示すような表示を行うことで、ランチタイムの時間帯に、乗りかご１の目的階となる可能性が高い飲食店が存在する階に利用者を適切に誘導できるようになる。また、夕方の食料品の販売フロアの利用が増える時間帯には、乗りかご１の目的階となる可能性が高い食料品の販売フロアに利用者を適切に誘導できるようになる。したがって、タッチパネル付き表示部２での表示から宣伝効果を上げることができる。また行先階釦の表示が大きくなるので、多くの利用者にとって入力しやすい表示になる。
【００３７】
図８は、エレベーターとエスカレーターとが併設された建物の場合の例である。
エスカレーターを併設した施設に設置されたエレベーターにあっては、時間帯によってエレベーターの乗車率が高くなり、エレベーターが混雑して運搬効率が低下することがある。そこで、エレベーターの乗車率が高くなる時間帯には、タッチパネル付き表示部２に、エスカレーターの利用を促す表示を行うようにする。
【００３８】
すなわち、図８に示すように、現在乗りかご１が停止中の階に近接する階（この例では１階、２階、３階）の行先階釦２１ｅを、他の階の行先階釦２１ｆより小さく表示する。さらに、行先階釦２１ｅの表示個所の隣（上側）に、「恐れ入りますがエスカレーターをご利用下さい」と案内表示を行う。このように、近接する階の行先階釦２１ｅを小さくすることで、これらの行先階釦２１ｅを意図的に入力しづらくして、エレベーターの乗車率が高くなる時間帯にエスカレーターの利用を促すようにする。これにより、エレベーター混雑時の緩和を図り、エレベーターの運搬効率を向上させることが可能になる。
【００３９】
図９は、天候情報を取得して、表示を変更する場合の例である。この場合の建物は、地下１階が地下道に接続されている場合である。この天候情報の取得は、図２に示すエレベーター遠隔監視装置５の天候情報取得部５６が行う。
この例では、天候情報取得部５６が現在の天候として雨天の情報を取得した場合に、タッチパネル付き表示部２に表示する行先階釦の表示形態を変更する。すなわち、雨天の情報を取得した場合には、表示制御部５１は、図９に示すように、行先階釦２１ｇを、他の階の行先階釦２１ｈより大きく表示する。そして、行先階釦２１ｇの中に、地下１階を示す「Ｂ１」の文字と共に、雨天のために地下１階から出ることを促す案内表示を行う。図９の例では、「雨が降っております  Ｂ１から地下道が便利です」と表示する。
この図９に示す表示を行うことにより、エレベーターの利用者を適切な出口階に誘導することができる。
【００４０】
［６．駅舎に設置されたエレベーターの場合の例］
次に、駅舎のエレベーターに本発明を適用する場合の例について説明する。
エレベーターの乗りかご１は、駅舎のコンコース階（改札口などが設置された階：ここでは１階）と、複数のプラットフォーム階（列車が発着する階：ここでは２階及び３階）との間を昇降するものとする。
そして、エレベーター遠隔監視装置５の表示制御部５１は、各プラットフォーム階での列車の発車時間に合わせて、タッチパネル付き表示部２に表示する行先階釦の表示形態を変更する。
【００４１】
この場合には、エレベーター遠隔監視装置５の変更指示受信部５３は、外部（列車運行システムなど）から、リアルタイムの列車の発車時刻情報を取得する。
図１０のフローチャートは、この変更指示受信部５３がリアルタイムの列車の発車時刻情報を取得した場合に、表示制御部５１が表示を変更する処理の流れを示している。
すなわち、表示制御部５１は、変更指示受信部５３を介して、外部からリアルタイムの列車運行情報を取得する（ステップＳ２１）。ここで取得する情報は、例えば各階のプラットフォームでの発車時刻、列車種別、行先などの情報である。
【００４２】
そして、表示制御部５１は、取得した列車運行情報に基づいて、各プラットフォーム階（２階、３階）の行先階釦のサイズを設定する（ステップＳ２２）。すなわち、そのときの各階の発車時刻や時間帯に応じて、各行先階釦のサイズを設定する。さらに、それぞれの行先階釦の中に、それぞれの階で先発及び次発の発車時刻を表示する。この行先階釦の表示を設定した後、表示制御部５１は、ステップＳ２１の処理に戻る。
【００４３】
図１１〜図１３は、列車運行情報に基づいて、タッチパネル付き表示部２での各行先階釦の表示形態を変更した例を示す。
図１１の例では、タッチパネル付き表示部２に、列車が発着するプラットフォーム階（２階、３階）の行先階釦２１ｊ及び２１ｋが、他の階（１階）の行先階釦２１ｉよりも大きいサイズで表示される。そして、タッチパネル付き表示部２に、各階の行先階釦２１ｊ及び２１ｋの中に、２階及び３階の行先階釦２１ｊ及び２１ｋに、外部より取得したリアルタイムの列車の発車時刻（先発及び次発の時刻、各プラットフォームの線名及び方面）が表示される。
【００４４】
また、タッチパネル付き表示部２には、２階と３階の行先階釦２１ｊ，２１ｋの内で、先発の列車の発車時刻が近い階（３階）の行先階釦２１ｋが、２階の行先階釦２１ｊよりもさらに大きいサイズで表示される。
このような行先階釦の表示を行うことで、タッチパネル付き表示部２に、利用者がその時点で目的階となる可能性が高い階に関する情報が表示されるようになり、利用者の利便性を向上させることができる。また、発車時刻に応じて行先階釦の表示サイズが変更されるため、乗りかご１内の利用者からみて、入力しやすい表示になる。
【００４５】
図１２及び図１３の例は、時間帯で行先階釦のサイズを変更する例を示す。
図１２は、朝の通勤・通学の時間帯での表示形態であり、図１３は、夕方の帰宅時の時間帯の表示形態である。
図１２に示すように、朝の通勤・通学の時間帯には、利用者の多い都心方面行きの列車が発車する階（３階）の行先階釦２１ｏを、他の列車発車階（２階）の行先階釦２１ｎよりも大きいサイズでタッチパネル付き表示部２に表示する。コンコース階（１階）の行先階釦２１ｍは、他の行先階釦２１ｏ，２１ｎよりも小さいサイズで表示する。
【００４６】
また、図１３に示すように、夕方の帰宅時の時間帯には、利用者の多い郊外方面行きの列車が発車する階（２階）の行先階釦２１ｑを、他の列車発車の階（３階）の行先階釦２１ｒよりも大きいサイズでタッチパネル付き表示部２に表示する。コンコース階（１階）の行先階釦２１ｐは、他の行先階釦２１ｒ，２１ｑよりも小さいサイズで表示する。
なお、図１２及び図１３の表示例では、列車が発車する２階及び３階の行先階釦２１ｏ，２１ｎ，２１ｒ，２１ｑの中に、線名、方面の区別、先発及び次発の発車時刻が表示される。
【００４７】
このように、時間帯に応じて利用者が多い行先階釦を、他の行先階釦よりも大きいサイズで表示することで、それぞれの時間帯に目的階となる可能性が高い階の行先階釦を操作し易い表示形態になる。
【００４８】
［７．変形例］
なお、本発明は上記した実施の形態例に限定されるものではなく、様々な変形例が含まれる。
例えば、図５〜図９，図１１〜図１３に示した行先階釦の表示例は、それぞれのケースでの好適な一例を示したものであり、その他の表示形態としてもよい。例えば、図６や図７の例では、１日の中の昼食時や夕方などの時間帯で、行先階釦の表示形態を変更するようにした。これに対して、例えば１週間の中で、平日の表示形態と、休日の表示形態とを、建物内の店舗や設備の曜日による営業状況などで変化させるようにしてもよい。さらに、時間帯と曜日や日付などと組み合わせて、より高度な表示変更を行うようにしてもよい。
【００４９】
また、上述した実施の形態では、時間（時間帯，時刻）以外の要因で行先階釦の表示を変更する例として、天候によって行先階釦の表示形態を変更するようにした例を図９に示したが、時間や天候以外のその他の要因で、行先階釦の表示形態を変更するようにしてもよい。
【００５０】
また、駅舎に設置したエレベーターの場合の図１１〜図１３の例では、発車時刻などの詳細を行先階釦の中に表示するようにしたが、これらの発車時刻の表示は省略してもよい。例えば、時間帯によって都心方面と郊外方面の行先階釦の表示サイズを変える図１２及び図１３の例の場合、行先階釦２１ｏ，２１ｎ，２１ｒ，２１ｑには、発車時刻を省略して、各階を示す「２」や「３」の文字の他に、都心方面や郊外方面の文字のみを表示するようにしてもよい。
【００５１】
また、上述した実施の形態例では、タッチパネル付き表示部２に、戸開釦２２と戸閉釦２３が同時に表示されるようにした。これに対して、戸開釦２２と戸閉釦２３は、タッチパネル付き表示部２とは別の箇所に配置した釦とし、タッチパネル付き表示部２に開釦２２と戸閉釦２３を表示しないようにしてもよい。
【００５２】
また、上述した実施の形態例では、エレベーター遠隔監視装置５が行先階釦２１の表示形態の変更の制御を行うようしたが、その他の装置が、行先階釦２１の表示形態の変更の制御を行うようにしてもよい。例えば、エレベーター制御盤４又はかご上制御装置３が、行先階釦２１の表示形態の変更の制御を行うようにしてもよい。エレベーター制御盤４やかご上制御装置３が、行先階釦２１の表示形態の変更の制御する場合には、エレベーター制御盤４又はかご上制御装置３が、図２に示す表示制御のための構成を備えることになる。
【００５３】
あるいは、乗りかご１の行先階登録装置であるタッチパネル付き表示部２と変更内容の記録部を一体化して、時間帯の違いなどに応じて、タッチパネル付き表示部２に表示される行先階釦の表示形態を変更するようにしてもよい。
あるいはまた、行先階釦の表示形態の変更内容を記録する記録部については、エレベーター装置の外部に設け、その外部の記録部に記録された表示形態の変更内容をエレベーター装置が随時読み出して、設定するようにしてもよい。例えば、エレベーター装置の外部に、各建物の行先階釦の表示形態についての情報を記録するサーバーを用意し、そのサーバーが、外部（施設管理者操作端末７）からの指示で、変更情報を記録するようにする。そして、エレベーター遠隔監視装置５は、そのサーバーに記録された変更情報を読み出して、行先階釦の表示形態を設定するようにしてもよい。
【００５４】
また、外部から行先階釦２１の表示形態の変更に関する情報を受信する処理を、電話回線網６で接続された施設管理者操作端末７（コンピュータ装置）からの指示で行うようにした点についても一例である。例えば、エレベーター遠隔監視装置５などが、施設管理者が所持するスマートフォンやタブレット端末と通信回線（有線通信又は無線通信）で通信を行って、行先階釦２１の表示形態の変更に関する情報を取得するようにしてもよい。
【００５５】
また、上記した実施の形態例は本発明を分かりやすく説明するために詳細に説明したものであり、必ずしも説明した全ての構成を備えるものに限定されるものではない。また、ある実施の形態例の構成の一部を他の実施の形態例や変形例の構成に置き換えることが可能であり、また、ある実施の形態例の構成に他の実施の形態例や変形例の構成に置き換えることも可能である。また、実施の形態例の構成の一部について、他の構成の追加・削除・置換をすることが可能である。
【００５６】
また、上記の各構成、機能、処理部、処理手段等は、それらの一部又は全部を、例えば集積回路で設計する等によりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５７】
１…乗りかご、２…タッチパネル付き表示部、３…かご上制御装置、４…エレベーター制御盤、５…エレベーター遠隔監視装置、６…電話回線網、７…施設管理者操作端末、８…監視センター、２１…行先階釦、５１…表示制御部、５２…記録部、５３…変更指示受信部、５４…時計部、５５…表示設定部、５６…天候情報取得部、Ｃ…コンピューター装置、Ｃ１…中央制御ユニット（ＣＰＵ）、Ｃ２…ＲＯＭ、Ｃ３…ＲＡＭ、Ｃ４…バスライン、Ｃ５…表示部、Ｃ６…操作部、Ｃ７…不揮発性ストレージ、Ｃ８…インターフェイス
【図１】
2018083711.tif 000003
【図２】
2018083711.tif 000004
【図３】
2018083711.tif 000005
【図４】
2018083711.tif 000006
【図５】
2018083711.tif 000007
【図６】
2018083711.tif 000008
【図７】
2018083711.tif 000009
【図８】
2018083711.tif 000010
【図９】
2018083711.tif 000011
【図１０】
2018083711.tif 000012
【図１１】
2018083711.tif 000013
【図１２】
2018083711.tif 000014
【図１３】
2018083711.tif 000015